(57)【要約】【課題】使用者が自身に応じた最適な焦点距離及び倍率を調整することができる双眼ルーペを提供する。【解決手段】光学系を内蔵する一対のルーペ本体２は、第１取付部９によってホルダ３の一端に着脱自在に接続されて、ルーペ本体２の焦点距離を調整する焦点調整レンズ１１を具備する焦点調整部５は、第２取付部１０によってホルダ３の他端に着脱自在に接続される。ルーペ支持部材４は、第１取付部９によってホルダ３に取り付けられたルーペ本体２が観察対象へ向くように、ホルダ３を所定の角度を保って固定で支持している。よって、焦点調整レンズ１１及びルーペ本体２をホルダ３から差し替えることで、使用者に合った焦点距離と倍率に調整可能な双眼ルーペが提供される。【選択図】図１
2019144297.tif 000002
【特許請求の範囲】
【請求項１】
手元の観察対象を拡大して見るための双眼ルーペであって、
眼鏡フレームと、
光学系を内蔵する一対のルーペ本体と、
前記ルーペ本体の焦点距離を調整する焦点調整レンズを具備する焦点調整部と、
前記ルーペ本体の接眼側端が挿入される筒状のホルダと、
前記ホルダに設けられて挿入された前記ルーペ本体を着脱可能に保持する第１取付部と、
前記ホルダの前記ルーペ本体が挿入される側と反対の端部に設けられて前記焦点調整部を着脱可能に保持する第２取付部と、
前記眼鏡フレームの左右のリムに取り付けられてそれぞれが前記ホルダを保持するルーペ支持部材と、
を備え、
前記ホルダは、挿入された前記ルーペ本体が前記観察対象へ向くように、前記ルーペ支持部材の面に対して所定の角度で固定されている双眼ルーペ。
【請求項２】
前記第１取付部は磁石で構成され、前記ルーペ本体の接眼側端は、前記ホルダに挿入されたとき前記第１取付部に吸着する磁性体を備える請求項１に記載の双眼ルーペ。
【請求項３】
前記第１取付部は、前記ホルダの前記ルーペ本体の挿入側に形成される挿入孔及び係止孔から成る鈎型の溝で構成されて、前記ルーペ本体の側面に形成される突起が前記挿入孔を経て前記係止孔と嵌合することで、前記ホルダと前記ルーペ本体とが接続される請求項１に記載の双眼ルーペ。
【請求項４】
前記第１取付部は、前記ホルダの前記ルーペ本体の挿入側の端部の内周に形成されたメネジ部で構成され、前記ルーペ本体の接眼側端に形成されたオネジ部との螺合で前記ルーペ本体と前記ホルダとが接続される請求項１に記載の双眼ルーペ。
【請求項５】
前記ルーペ本体は、前記光学系による倍率が異なる複数種類が予め準備され、その中の一つが選択されて、前記第１取付部を介して前記ホルダに取り付けられる請求項１乃至４の何れか１項に記載の双眼ルーペ。
【請求項６】
前記焦点調整部は、前記焦点調整レンズの周縁に磁性体で成るレンズ保持部を備えて、前記第２取付部は、前記レンズ保持部を吸引する磁石で構成される請求項１に記載の双眼ルーペ。
【請求項７】
前記第２取付部は、前記ホルダの前記焦点調整部が取り付けられる端面の周縁に等間隔で複数配置されたピン状の磁石で構成されて、前記レンズ保持部は前記ピン状の磁石が挿入される孔部を有する請求項６に記載の双眼ルーペ。
【請求項８】
前記第２取付部は、前記ホルダの前記焦点調整部との接続側端部の外周又は内周に形成されたネジ部で構成されて、前記焦点調整部の前記ホルダ側の端部の内周又は外周に形成されたネジ部との螺合により前記焦点調整部と前記ホルダとは接続される請求項１に記載の双眼ルーペ。
【請求項９】
前記焦点調整部は、前記焦点調整レンズによる焦点距離が異なる複数種類が予め準備され、その中の一つが選択されて、前記第２取付部を介して前記ホルダに取り付けられる請求項１及び請求項７乃至８の何れか１項に記載の双眼ルーペ。
【発明の詳細な説明】
【技術分野】
【０００１】
本発明は、医療手術や精密工作作業の際に使用される双眼ルーペに関する。
【背景技術】
【０００２】
双眼ルーペは、手元の局所的な観察対象を拡大して視認する手段として、従来から、医療分野、精密工作、宝石加工等の各分野において広く使用されている。これらの分野では、作業や操作に高い精度が要求されており、双眼ルーペは、優れた解像力、広い視野径、所定の焦点距離等に加えて、明るくクリアな画質を備えていることが望まれている。さらに、医療分野において用いられる双眼ルーペには、人命に関わることから、双眼ルーペの視力矯正及び乱視矯正は、施術者の視力に正確に適合させたものであることが求められている。
【０００３】
しかしながら、従来の双眼ルーペにおいては、医療施術者の手作業に高い精度が要求されるにも関わらず、施術者の遠距離或いは近距離の視力を矯正するレンズの焦点距離を、作業中に変化する作業者の視力に合せることができないため、視力の変化に起因して視覚精度にムラが生じるという問題点があった。すなわち、人間の視力は、体調や疲労の程度によって常に変化し、また、同日であっても午前と午後とで変化するにも拘わらず、従来の双眼ルーペは、施術者の変動する視力に適合させることができず、不適正な視力の状態で双眼ルーペを使用して施術せざるを得なかった。
【０００４】
そのため、従来から焦点距離が異なる複数種類の焦点調整部を予め準備しておき、その中の一つを選択して、その接眼部に着脱自在に装着可能にした双眼ルーペが知られている（例えば、特許文献１を参照）。
【特許文献１】特許第５０３２３３２号公報
【発明の概要】
【発明が解決しようとする課題】
【０００５】
一方、双眼ルーペの倍率に関しても、施術する部位に応じて必要な倍率が異なるため、数種類の双眼ルーペを用意しておき、その都度、最適な倍率の双眼ルーペを選択している。また、倍率を調整可能な双眼ルーペも用いられてはいるが、倍率が調整可能な双眼ルーペでも、固定倍率の双眼ルーペ程ではないにしても、調整可能な倍率範囲に応じて複数の双眼ルーペを用意しておき、その中から適宜、最適なものを選択して使用している。
【０００６】
本発明は、上記課題に鑑みてなされたものであって、拡大の光学系を内蔵するルーペ本体も焦点調整部と同様に、所望の倍率に自由に差し替えることができる双眼ルーペを提供することを目的としている。
【課題を解決するための手段】
【０００７】
上記課題を解決するために、本発明は、手元の観察対象を拡大して見るための双眼ルーペであって、眼鏡フレームと、光学系を内蔵する一対のルーペ本体と、前記ルーペ本体の焦点距離を調整する焦点調整レンズを具備する焦点調整部と、前記ルーペ本体の接眼側端が挿入される筒状のホルダと、前記ホルダに設けられて挿入された前記ルーペ本体を着脱可能に保持する第１取付部と、前記ホルダの前記ルーペ本体が挿入される側と反対の端部に設けられて前記焦点調整部を着脱可能に保持する第２取付部と、前記眼鏡フレームの左右のリムに取り付けられてそれぞれが前記ホルダを保持するルーペ支持部材と、を備え、前記ホルダは、挿入された前記ルーペ本体が前記観察対象へ向くように、前記ルーペ支持部材の面に対して所定の角度で固定される。
【０００８】
一つの実施形態によれば、前記第１取付部は磁石で構成されて、前記ルーペ本体の接眼側端は、前記ホルダに挿入されたとき前記第１取付部に吸着する磁性体を備えることで、ルーペ本体はホルダに磁石により着脱自在に取り付けられる。
【０００９】
また、磁石以外にも、前記第１取付部を前記ホルダの前記ルーペ本体の挿入側に形成される挿入孔及び係止孔から成る鈎型の溝で構成し、前記ルーペ本体の側面に形成される突起が前記挿入孔を経て前記係止孔と嵌合することで、前記ホルダと前記ルーペ本体とが接続する。さらには、前記第１取付部を前記ホルダの前記ルーぺ本体の挿入側の端部の内周に形成されたメネジ部で構成して、前記ルーペ本体の接眼側端に形成されたオネジ部との螺合で前記ルーペ本体と前記ホルダとを接続してもよい。
【００１０】
そして、前記ルーペ本体は、前記光学系による倍率が異なる複数種類が予め準備され、その中の一つが選択されて、前記第１取付部を介して前記ホルダに取り付けられる。
【００１１】
前記焦点調整部においても一つの実施形態では、前記焦点調整レンズの周縁に磁性体で成るレンズ保持部を備えて、前記第２取付部は、前記レンズ保持部を吸引する磁石で構成することで、焦点調整レンズはホルダに磁石によって着脱自在に取り付けられる。このとき、前記第２取付部は、端面にピン状の磁石を円周上に等間隔で複数配置して成り、前記レンズ保持部は前記ピン状の磁石が挿入される孔部を有する構成とするとよい。
【００１２】
また、磁石以外にも、第２取付部を前記ホルダの前記焦点調整部との接続側端部の外周又は内周に形成されたネジ部で構成して、前記焦点調整部の前記ホルダ側の端部の内周又は外周に形成されたネジ部との螺合により接続する。
【００１３】
そして、前記焦点調整部は、前記焦点調整レンズによる焦点距離が異なる複数種類が予め準備され、その中の一つが選択されて、前記第２取付部を介して前記ホルダに取り付けられる。
【発明の効果】
【００１４】
本発明の双眼ルーペによれば、ルーペ支持部材に固定して取り付けたホルダに、ルーペ本体と焦点調整部とを着脱自在にしたことで、倍率が異なる複数種類の中から選択した倍率のルーペ本体と、焦点距離が異なる複数種類の中から選択した焦点距離の焦点調整部とに容易に付け替えることができる。
【図面の簡単な説明】
【００１５】
【図１】本発明の実施形態に係る双眼ルーペの全体の構成図を示す。
【図２】図１の双眼ルーペを上下で逆にして一方のルーペ本体を取り外した状態の説明図を示す。
【図３】ルーペ本体とホルダと焦点調整部の側面図を示しており、ホルダと焦点調整部は断面図で示す。
【図４】ルーペ本体とホルダと焦点調整部とを図４の状態から組み合わせた状態を側面図で示す。
【図５】第１脱着部の他の構成例を側面図で示す。
【図６】双眼ルーペを着用して作業をしている状態の説明図を示す。
【図７】キャリアレンズにルーペを取り付ける際の下方装着角度の説明図を示す。
【図８】ルーペをキャリアレンズに取り付ける際の内側装着角度ｐ，ｑについての説明図を示す。
【図９】第２脱着部の他の構成例を側面図で示す。
【図１０】ネジ式による第１脱着部及び第２脱着部の構成を側断面図で示す。
【発明を実施するための形態】
【００１６】
以下、本発明を図面に基づき説明する。図１及び図２は、本発明の一実施形態に係る双眼ルーペ１００の全体構成を示している。双眼ルーペ１００は、眼鏡フレーム１と、作業対象の像を拡大するための左右両眼に対応するルーペ本体２と、ルーペ本体２を保持するホルダ３と、ホルダ３を眼鏡フレーム１に取り付けるためのルーペ支持部材であるキャリアレンズ４と、使用者の視力を保障するための焦点調整部５とで構成されている。
【００１７】
眼鏡フレーム１は通常の眼鏡と略同じ構造を有するもので、キャリアレンズ４が嵌め込まれるリム１ａと、観察者の耳に掛けられるテンプル１ｂと両方のリム１ａを繋ぐブリッジ１ｃ、鼻あて部６とを有する。眼鏡フレーム１を構成する素材には、錆び難く可撓性を有するチタン等の金属や合成樹脂等が使用される。そして、テンプル１ｂには、着用者の顔の両側を保護する遮蔽部材７や双眼ルーペを着用した状態で保持するためのストラップ８を、必要に応じて取り付けることができる。
【００１８】
キャリアレンズ４は、ルーペ本体２及び焦点調整部５をその両端で保持するホルダ３を支持する開口が穿設されており、ホルダ３はこの開口に嵌め込まれて、キャリアレンズ４の面に対して所定の角度を維持した状態で固定される。キャリアレンズ４を構成する素材は、必ずしも透明である必要はないが、観察者の手元方向の視野を広げるためには透明であることが好ましく、さらに視力の矯正を必要とする場合には矯正レンズを使用するが、視力の矯正が不要の場合は単なる透明ガラスであっても良い。この場合のレンズの材質は、ガラス又はプラスチックである。したがって、キャリアレンズ４は、ルーペ本体を支持するルーペ支持部材の機能と共に、必要に応じて、視力の矯正機能をも備えている。
【００１９】
ルーペ本体２は、観察対象の像を所定の倍率、例えば２．５倍の倍率で調整された拡大の光学系を内蔵し、図３及び図４で示すように、接眼側端に位置している接眼筒２ａとこれより徐々に外径を大きくしていく傾斜部２ｂを経て大径部を設けた対物筒２ｃとで構成されている。そして、接眼筒２ａの後端には、磁石に吸着する磁性体のリング２ｄが装着されている。ここで、ルーペ本体２内のレンズを前後方向に移動可能に構成すれば、焦点調整を可能とすることが可能となる。
【００２０】
焦点調整部５は、円形の焦点調整レンズ１１と、焦点調整レンズ１１が嵌め込まれる磁性体のレンズ保持部１２とから構成されている。焦点調整レンズ１１は、双眼ルーペ１００の使用者が左右のルーペ本体２で対象を拡大して観察する際の視力を矯正するために、必要に応じてルーペ本体２に合せて用いられる遠距離又は近距離を補正するのみならず、乱視等を補正するレンズとすることもできる。そのために、図３に示すように、焦点調整レンズ１１の内側には焦点調整の高さを調整するための焦点調整リング１６を備えるようにすると良い。また、双眼ルーペの使用者が普段は視力の矯正を必要としていなくても、処置中の視力の変動に際し焦点調整レンズ１１を用いることで視力が確保される。
【００２１】
ホルダ３は、プラスチック又は磁性体等の素材により形成され、ルーペ本体２の接眼筒２ａの外径と略等しい内径を有して、底の中央に透孔が穿設された有底の筒体によって構成されている。そして、ホルダ３には、この底を挟んで内側にはルーペ本体２が取り外し自在なよう接眼筒２ａを着脱可能にする第１取付部９が設けられ、外側には焦点調整部５が着脱可能な第２取付部１０が設けられている。
【００２２】
第１取付部９は、本例ではリング状の磁石で構成されて、ホルダ３の底の透孔の縁部３ａによって係止されている。よって、ルーペ本体２の接眼筒２ａをホルダ３に挿入したとき、リング２ｄが第１取付部９に吸着されて、ルーペ本体２はホルダ３に保持される。
【００２３】
また、接眼筒２ａの傾斜部２ｂとの境には、ホルダ３の対物側の端部に切り欠いて形成された係合部１４と嵌合する突起１３を設けている。これにより、接眼筒２ａをホルダ３に挿入するとき、突起１３が係合部１４に係止されるまで挿入することになる。
【００２４】
第１取付部９の他の例としては、図５に示すように、ルーペ本体２の挿入方向に沿って形成される挿入孔１４ａと、挿入孔１４ａに連続するも挿入方向と直交する方向に形成される係止孔１４ｂとを有する鈎型の形状の溝で構成する。この場合は、接眼筒２ａをホルダ３へ挿入して、挿入孔１４ａに突起１３を導入させ、次にルーペ本体２を回転させることで突起１３を係止孔１４ｂと嵌合させることで、ルーペ本体２をホルダ３との接続を確実にすることができる。
【００２５】
このように、ルーペ本体２は、第１取付部９によってホルダ３から着脱自在であるから、倍率の異なるルーペ本体２に交換したいときなどは、ホルダ３からルーペ本体２を外し、別のルーペ本体２に差し替えることができる。
【００２６】
第２取付部１０は、本例では、係止部３ａから軸方向に外方へ突出する４個の磁性体又は磁石のピンで構成している。このピンは、係止部３ａから軸方向に外方へ突出するように、ホルダ３の端面の円周上に等間隔で配置されている。焦点調整部５のレンズ保持部１２には、第２取付部１０が挿入可能なピン孔１５が穿設されており、第２取付部１０をピン孔１５に挿し込むことで、焦点調整部５は、レンズ保持部１２が吸着されて、第２取付部１０でホルダ３に保持される。よって、それぞれ焦点距離が異なる焦点調整レンズ１１を備えた複数の焦点調整部５を用意しておき、ルーペ本体２を通しての観察対象への焦点を調整したいときには、適切な焦点距離の焦点調整部５と差し替えることができる。
【００２７】
ホルダ３は、キャリアレンズ４に穿設した上記開口に嵌め込み、第１取付部９に取り付けたルーペ本体２が観察対象部の焦点に向くように、キャリアレンズ４の面に対して、所定の角度で固定される。具体的には、ホルダ３のキャリアレンズ４の面への取り付けは、ホルダ３にルーペ本体２を装着したときのルーペ本体２のキャリアレンズ４の平面を基準にしての下方装着角度ｒ及び内側装着角度ｐ，ｑと、双眼ルーペの使用者の瞳孔間距離ＰＤにより決定される。これについて、以下に説明する。
【００２８】
双眼ルーペ１００は、図６に示すような前傾姿勢を執って作業を行うときに、その手元の作業操作箇所Ｗの観察対象を拡大して観察するのに使用される。このとき、使用者は、左右のルーペ本体２を通して両眼の視線を手先の位置にある観察対象に集中させている。ここで、図７を用いてこの場合の下方装着角度について説明すると、下方装着角度ｒは、キャリアレンズ４にホルダ３を介してルーペ本体２を取り付けるときに、キャリアレンズ４の面からの垂直線に対する下向きの取り付け角度であり、作業操作箇所Ｗからキャリアレンズ４までの距離Ｍとキャリアレンズ４の中心を通る鉛直線に直交する水平方向距離Ｎとで決まる角度βと、着用者が手術を行うときのキャリアレンズ４の前傾角度αとで求めることができる。
【００２９】
内側装着角度ｐ，ｑは、図８に示すように、ホルダ３に装着した左右のルーペ本体２の先端を作業操作箇所Ｗに向けたときの視線が、眼鏡フレーム１の中心Ｏと作業操作箇所Ｗとを結ぶ線Ｌと作業操作箇所Ｗで交わるときの角度である。そして、中心Ｏは、使用者の鼻の中心線と左右の瞳孔を結ぶ線との交点であり、この中心Ｏから左右両眼の瞳孔中心までのそれぞれ距離ＰＤ１，ＰＤ２と、中心Ｏから作業操作箇所Ｗまでの線Ｌ上での距離とによって、左右のルーペ本体２の内側装着角度ｐ，ｑをそれぞれ求めることができる。
【００３０】
ルーペ本体２の下方装着角度ｒ及び内側装着角度ｐ，ｑが決まると、左右のキャリアレンズ４において両眼の瞳孔に対応する位置にホルダ３を挿入する開口を設けて、ホルダ３が下方装着角度ｒ及び内側装着角度ｐ、左のホルダ３が下方装着角度ｒ及び内側装着角度ｑでキャリアレンズ４の面から突出するよう接着剤等で固定させて取り付けられる。そして、双眼ルーペ１００は、ホルダ３の第１及び第２取付部のそれぞれにルーペ本体２と焦点調整部５が取り付けられて使用される。
【００３１】
以上、詳述したように、本発明に係る双眼ルーペ１００は、ホルダ３をキャリアレンズ４に固定して、ホルダ３の対物側に設けた第１取付部９でルーペ本体２を着脱自在とし、且つホルダ３の接眼側に設けた第２取付部１０で焦点調整部５を着脱自在にしている。よって、作業操作箇所Ｗの観察対象に応じて倍率を変更する場合には、それに応じた倍率のルーペ本体２と交換することができる。また、視力を矯正する場合には、適切な焦点距離の焦点調整部５と交換することができる。ルーペ本体２は、それ自体が倍率の調整が可能なものであってもよい。この場合、異なる範囲で倍率が調整可能なルーペ本体２を複数用意しておいて、調整可能な範囲に必要な倍率を備えるルーペ本体２を差し替えて使用する。
【００３２】
ルーペ本体２や焦点調整部５を着脱自在にする第１取付部９及び第２取付部１０には種々の実施形態があり、上記に限定されるものではない。例えば、第２取付部１０は、図９に示すように、係止部３ａからリング状に突出させた磁石であってもよい。このようにリング状の磁石で構成される第２取付部１０の外径はレンズ保持部１２の内径と略等しく、レンズ保持部１２は第２取付部に嵌合して吸引されて、焦点調整部５はホルダ３に保持される。
【００３３】
また、図１０は、ネジにより接続する第１及び第２取付部９，１０の実施形態を示している。ここでの第１取付部９は、ホルダ３の内周に形成されて、ルーペ本体２の接眼筒２ａの外周に形成されたオネジと螺合するネジ部で構成されている。そして、第２取付部１０は、ホルダ３の焦点調整部５との接続側端部の外周に形成されて、焦点調整部５の内周に形成されたメネジと螺合するネジ部で構成されている。勿論、第１取付部９と第２取付部１０でのルーペ本体２や焦点調整部５との接続は、何れか一方をネジ式にして、他方を磁石式にすることで、ネジ式と磁石式と組み合わせる構造であってもよい。
【符号の説明】
【００３４】
１      眼鏡フレーム
２      ルーペ本体
２ｄ    リング（磁性体）
３      ホルダ
４      キャリアレンズ（ルーペ支持部材）
５      焦点調整部
９      第１取付部
１０    第２取付部
１１    焦点調整レンズ
１２    レンズ保持部
１３    突起
１４ａ  挿入孔
１４ｂ  係止孔
１６    焦点調整リング
【図１】
2019144297.tif 000003
【図２】
2019144297.tif 000004
【図３】
2019144297.tif 000005
【図４】
2019144297.tif 000006
【図５】
2019144297.tif 000007
【図６】
2019144297.tif 000008
【図７】
2019144297.tif 000009
【図８】
2019144297.tif 000010
【図９】
2019144297.tif 000011
【図１０】
2019144297.tif 000012